(57)【要約】【課題】梯子などにおいて安定した操作性を維持できる伸縮脚装置を提供する。【解決手段】一対の支柱１，１間に踏桟２を横架してなる梯子状脚体１０における各支柱１下端部に嵌挿した伸縮脚３を所要脚長に固定するための伸縮脚ロック装置において、伸縮脚３に設けたラック７に係合する係合歯８を一端部に有し且つ他端部側下面に操作レバー係合面９を有するロックレバー５の中間部を、支柱１に固定された固定枠１１に枢着すると共に、係合歯８がラック７に係合するロック方向にロックレバー５を回転付勢するバネ１２を設け、ロックレバー５の他端部側には操作レバー６の一端部を枢着し、操作レバー６は、他端部が下向きとなる下向き姿勢から所定角度上方へ回転させて、ロックレバー５の操作レバー係合面９と係合した状態で操作レバー６を更に上方へ回転させることにより、ロックレバー５をロック解除方向に回転させてロック解除する。【選択図】図４
2011226061.tif 000002
【特許請求の範囲】
【請求項１】
一対の支柱間に踏桟を適当間隔置きに横架してなる梯子状脚体における各支柱下端部に嵌挿した伸縮脚を所要脚長に固定するための伸縮脚ロック装置において、
伸縮脚に設けたラック又は連続孔に係合する係合歯を一端部に有し且つ他端部側下面に操作レバー係合面を有するロックレバーの中間部を、支柱に固定された固定枠に枢着すると共に、前記係合歯がラック又は連続孔に係合するロック方向にロックレバーを回転付勢するバネを設け、ロックレバーの他端部側には操作レバーの一端部を枢着し、操作レバーは、その他端部が下向きとなる下向き姿勢から所定角度上方へ回転させて、ロックレバーの操作レバー係合面と係合した状態で操作レバーを更に上方へ回転させることにより、ロックレバーをロック解除方向に回転させてロック解除するようにしてなる伸縮脚ロック装置。
【請求項２】
一対の支柱間に踏桟を適当間隔置きに横架してなる梯子状脚体における各支柱下端部に嵌挿した伸縮脚を所要脚長に固定するための伸縮脚ロック装置において、
伸縮脚に設けたラック又は連続孔に係合する係合歯を一端部に有し且つ他端部側下面に操作レバー係合面を有するロックレバーの中間部を、支柱に固定された固定枠に枢着すると共に、前記係合歯がラック又は連続孔に係合するロック方向にロックレバーを回転付勢するバネを設け、ロックレバーの他端部側には操作レバーの一端部を枢着し、この操作レバーを他端部が下向きとなる下向き姿勢に回転させた時に前記固定枠に当接してロックレバーのロック解除方向の回転を阻止するロックレバー回転阻止用当接部を操作レバーの一端側外周部に設け、操作レバーは、前記下向き姿勢から所定角度上方へ回転させてロックレバーのロック解除方向回転が可能となった状態でロックレバーの操作レバー係合面と係合するロックレバー係合面を有し、このロックレバー係合面がロックレバーの操作レバー係合面と係合した状態で操作レバーを更に上方へ回転させることにより、ロックレバーをロック解除方向に回転させてロック解除するようにしてなる伸縮脚ロック装置。
【請求項３】
操作レバーは合成樹脂で一体成形されたもので、その一端側外周部には、操作レバーの下向き姿勢でロックレバーのロック解除方向の回転を阻止する位置、及び下向き姿勢から所定角度上方へ回転してロックレバーのロック解除方向の回転を可能とする位置の各位置で固定枠に係止して操作レバーを位置保持するための凸片が設けられ、この凸片は、操作レバーが両位置間を回転する時は固定枠に押し付けられて弾性変形するようになっている請求項１又は２に記載の伸縮脚ロック装置。
【発明の詳細な説明】
【技術分野】
【０００１】
本発明は、一連式又は２連式以上の梯子などの下端部に設けられる伸縮脚を所要脚長に固定するための伸縮脚ロック装置に関する。
【背景技術】
【０００２】
従来の梯子の伸縮脚ロック装置として、特許公報等の公知文献を具体的に挙げることはできないが、従来の梯子は、一対の支柱間に踏桟を適当間隔置きに横架してなるもので、各支柱の下端部に嵌挿される伸縮脚のロック装置は、伸縮脚に設けたラックに係合する係合歯を一端部に形成し、他端部に操作部を形成したロックレバーを、その係合歯が伸縮脚の先端側を向くように配置して、このロックレバーの中間部を、支柱に固定されたブラケットに枢着すると共に、係合歯がラックに係合する方向にロックレバーを回転付勢するバネを設けた構成よりなる。
【０００３】
この伸縮脚ロック装置の使用において、伸縮脚を伸張させる時は、ロックレバーをそのままの状態で伸縮脚を下方へ引っ張るようにすればよく、また伸縮脚を収縮させる時は、ロックレバーの他端部を持ち上げて、その一端部の係合歯がラックから離脱する方向に回転させればよい。
【発明の概要】
【発明が解決しようとする課題】
【０００４】
上記のような伸縮脚ロック装置では、ロックレバーは、その一端部の係合歯がバネの付勢力で伸縮脚側のラックに係合する方向に回転付勢されて伸縮脚をロック状態に保持しているから、バネの付勢力が大きい程、ロックレバーの係合歯がラックに強力に係合して、より安全で確実なロック状態を維持できるが、バネ力が大きくなると、それだけロック解除時のロックレバー他端部の持ち上げ操作が困難となるという問題がある。
【０００５】
本発明は、上記の事情に鑑み、ロック解除時の操作レバーの持ち上げ操作が容易でありながら、ロックレバー側にバネ力の大きなバネを採用することができて、より安全で確実なロック状態を維持できる伸縮脚装置を提供することを目的とする。
【課題を解決するための手段】
【０００６】
上記課題を解決するための手段を、後述する実施形態の参照符号を付して説明すると、請求項１に係る発明は、一対の支柱１，１間に踏桟２を適当間隔置きに横架してなる梯子状脚体１０における各支柱１下端部に嵌挿した伸縮脚３を所要脚長に固定するための伸縮脚ロック装置において、
伸縮脚３に設けたラック７又は連続孔に係合する係合歯８を一端部に有し且つ他端部側下面に操作レバー係合面９を有するロックレバー５の中間部を、支柱１に固定された固定枠１１に枢着すると共に、前記係合歯８がラック７又は連続孔に係合するロック方向にロックレバー５を回転付勢するバネ１２を設け、ロックレバー５の他端部側には操作レバー６の一端部を枢着し、操作レバー６は、その他端部が下向きとなる下向き姿勢から所定角度上方へ回転させて、ロックレバー５の操作レバー係合面９と係合した状態で操作レバー６を更に上方へ回転させることにより、ロックレバー５をロック解除方向に回転させてロック解除するようにしてなることを特徴とする。
【０００７】
請求項２に係る発明は、一対の支柱１，１間に踏桟２を適当間隔置きに横架してなる梯子状脚体１０における各支柱１下端部に嵌挿した伸縮脚３を所要脚長に固定するための伸縮脚ロック装置において、
伸縮脚３に設けたラック７又は連続孔に係合する係合歯８を一端部に有し且つ他端部側下面に操作レバー係合面９を有するロックレバー５の中間部を、支柱１に固定された固定枠１１に枢着すると共に、前記係合歯８がラック７又は連続孔に係合するロック方向にロックレバー５を回転付勢するバネ１２を設け、ロックレバー５の他端部側には操作レバー６の一端部を枢着し、この操作レバー６を他端部が下向きとなる下向き姿勢に回転させた時に前記固定枠１１に当接してロックレバー５のロック解除方向の回転を阻止するロックレバー回転阻止用当接部１３を操作レバー６の一端側外周部に設け、操作レバー６は、前記下向き姿勢から所定角度上方へ回転させてロックレバー５のロック解除方向回転が可能となった状態でロックレバー５の操作レバー係合面９と係合するロックレバー係合面１４を有し、このロックレバー係合面１４がロックレバー５の操作レバー係合面９と係合した状態で操作レバー６を更に上方へ回転させることにより、ロックレバー５をロック解除方向に回転させてロック解除するようにしてなることを特徴とする。
【０００８】
請求項３は、請求項１又は２に記載の伸縮脚装置において、操作レバー６は合成樹脂で一体成形されたもので、その一端側外周部には、操作レバー６の下向き姿勢でロックレバー５のロック解除方向の回転を阻止する位置、及び下向き姿勢から所定角度上方へ回転してロックレバー５のロック解除方向の回転を可能とする位置の各位置で固定枠１１に係止して操作レバー６を位置保持するための凸片１７が設けられ、この凸片１７は、操作レバー６が両位置間を回転する時は固定枠１１に押し付けられて弾性変形するようになっていることを特徴とする。
【発明の効果】
【０００９】
上記解決手段による発明の効果を、後述する実施形態の参照符号を付して説明すると、請求項１に係る発明の伸縮脚ロック装置によれば、ラック７又は連続孔に係合する係合歯８を一端部に有し、他端部側下面に操作レバー係合面９を有するロックレバー５の中間部を、支柱１に固定された固定枠１１に枢着すると共に、係合歯８がラック７又は連続孔に係合する方向にロックレバー５を回転付勢するバネ１２を設け、ロックレバー５の他端部側には操作レバー６の一端部を枢着し、操作レバー６は、下向き姿勢から所定角度上方へ回転させて、ロックレバー５の操作レバー係合面９と係合した状態で操作レバー６を更に上方へ回転させることにより、ロックレバー５をロック解除方向に回転させてロック解除するようにしたから、操作レバー６は、支点（枢軸部）から作用点（ロックレバー５の操作レバー係合面９に当接係合する操作レバー６の当接係合部）までの距離が短く、支点から力点（操作レバー６の遊端部）までの距離が長くなるため、操作レバー６の力点での小さな操作力で作用点に大きな力を作用させることができ、従ってロック解除時の操作レバー６の持ち上げ操作が容易となる一方、ロックレバー５側にバネ力の比較的大きなバネ１２を採用することができて、より安全で確実なロック状態を維持するできる。
【００１０】
上記のように操作レバー６の操作が容易であることから、作業者は足の甲部分でも操作レバー６を持ち上げてロック解除操作を行うことができる。また作業者は、足の甲部分での操作レバー６の操作が容易に可能であるから、両手で梯子状脚体を支えながら、又は梯子状脚体を軽く持ち上げながらでも安定した伸縮脚３の伸縮操作を行うことができる。
【００１１】
また操作レバー６に万が一大きな外力が加えられて、操作レバー６が破損脱落するようなことがあっても、ロックレバー５にはロックレバー５が破損するような力は加わらず、また操作レバー６が破損脱落したとしても、ロックレバー５を直接操作することによってロック解除操作が可能となり、また操作レバー６の修理復元も容易に可能である。
【００１２】
請求項２に係る発明の伸縮脚ロック装置によれば、ロックレバー５に操作レバー６を付設しているから、操作レバー６をこれの遊端部が下向きとなる下向き姿勢に回転させることにより、操作レバー６の一端側外周のロックレバー回転阻止用当接部１３を固定枠１１に当接させて、ロックレバー５のロック解除方向の回転を阻止し、これによりロックレバー５を、バネ１２により係合歯８をラック７又は連続孔に係合付勢するロック状態と、このロック状態が解除される方向への回転を阻止するロック状態との二重ロック状態にして、ロックレバー５を確実にロックすることができる。また、操作レバー６を下向き姿勢から所定角度上方へ回転させてロックレバー５のロック解除方向回転が可能となった横向き姿勢でロックレバー係合面１４をロックレバー５の操作レバー係合面９に係合させたまま、この操作レバー６を更に上方へ回転させることによって、ロックレバー５を簡単にロック解除することができる。
【００１３】
請求項３に係る発明によれば、操作レバー６は合成樹脂によって一体成形されており、その一端側外周部には、操作レバー６の下向き姿勢でロックレバー５のロック解除方向の回転を阻止する位置、及び下向き姿勢から所定角度上方へ回転して横向きの姿勢となってロックレバー５のロック解除方向への回転を可能とする位置の各位置で固定枠１１に係止して操作レバー６を位置保持するための凸片１７が設けられ、この凸片１７は操作レバー６が両位置間を回転する時は固定枠１１に押し付けられて弾性変形するようになっているから、操作レバー６が下向き姿勢に位置保持されることにより、操作レバー６がブラブラ揺れることがなく、従って万が一作業者の足が触れても、操作レバー６が回転することがなく、不意のロック解除を回避でき、また操作レバー６が横向き姿勢に位置保持されることにより、現在ロックレバー５が単ロック状態（ロックレバー５がロック解除方向へ回転可能な状態）にあることを確認することができる。また、操作レバー６の回転操作時に、凸片１７が弾性圧縮変形するクリック感が出て操作感覚が得られるから、作業者はロックレバー５が二重ロック状態から単ロック状態へ、又はその逆の状態へ切り替わったことを確認することができる。
【図面の簡単な説明】
【００１４】
【図１】本発明に係る伸縮脚ロック装置を備えた伸縮梯子を示し、(a-1) は収縮状態での正面図、(a-2) はその側面図、(b-1) は伸張状態での正面図、(b-2) はその側面図である。
【図２】(a) は図１の矢印Ａで示す部分の拡大図で、操作レバーが下向き姿勢にあってロックレバーのロック解除方向回転が阻止された二重ロックの状態を示し、(b) は(a) の一部拡大図、(c) は(b) のＸ−Ｘ線断面図である。
【図３】(a) は操作レバーが下向き姿勢から上向きに所定角度回転してロックレバーのロック解除方向の回転が可能となった状態を示す、図２の(a) と同様な図、(b) は(a) の一部拡大詳細図である。
【図４】(a) は操作レバーをロックレバーと係合面どうし当接した状態で上向きに回転させて、ロックレバーをロック解除している状態を示す、図２の(a) と同様な図、(b) は(a) の状態を更に説明する説明断面図、(c) は(b) に示す部分の平面図である。
【図５】(a) はロックレバーを取付姿勢で示す正面図、(b) は平面図である。
【図６】(a) は操作レバーを下向き姿勢で示す正面図、(b) は操作レバーを(a) の矢印Ｂから見た平面図であり、(c) は操作レバーを(a) の矢印Ｃから見た半断面側面図であり、(d) は(a) の矢印Ｄから見た一部側面図、(e) は(c) のＥ−Ｅ線断面図である。
【図７】(a) はロックレバーの他端側に操作レバーの一端部を枢着した状態の正面図、(b) は平面図、(c) は左側面図である。
【図８】(a) は取付金具の正面図、(b) は側面図、(c) は平面図である。
【図９】(a) は操作レバーを枢着したロックレバーを取付金具に取り付けた状態の正面図、(b) は平面図である。
【図１０】(a) は取付ブラケットの正面図、(b) はその平面図、(c) は右側面図である。
【図１１】(a) はロックレバー、操作レバー、取付金具及び取付ブラケットを組み立てた状態の正面図、(b) は同組み立てた状態の平面図、(c) はその右側面図、(d) はその左側面図である。
【発明を実施するための形態】
【００１５】
以下に本発明の好適な一実施形態を図面に基づいて説明すると、図１は本発明の伸縮脚ロック装置を備えた二連式伸縮梯子を示し、この伸縮梯子は、下段側梯子（梯子状脚体）１０と、この下段側梯子１０に昇降自在に支持された上段側梯子（梯子状脚体）２０と、下段側梯子１０の上端部に取り付けられた滑車３０と、一端部が上段側梯子２０の下端部に止着され、下段側梯子１０上端部の滑車３０に装架されて、他端部が垂下された昇降操作ロープ４０とからなるもので、昇降操作ロープ４０を操作することによって上段側梯子２０を下段側梯子１０に沿って伸縮昇降させるようになっている。
【００１６】
上下各梯子（梯子状脚体）１０，２０は、一対の支柱１，１間に踏桟２を適当間隔置きに横架してなるもので、下段側梯子１０の各支柱１には下端部に伸縮脚３がスライド自在に嵌挿されている。この伸縮脚３は本発明に係る伸縮脚ロック装置４によって所要の脚長に固定されるようになっている。伸縮脚ロック装置４は、梯子１０の最下段踏桟２よりも下方に装備されている。各支柱１の下端には、図２〜図４にも示すように滑り止め端具３１が取り付けられている。
【００１７】
この伸縮脚ロック装置４は、図２〜図４に示すように、伸縮脚３に設けられたラック７に係合する係合歯８を一端部に形成し且つその他端部側下面に操作レバー係合面９を形成したロックレバー５の中間部を、支柱１に固定ブラケット２１を介して固定された取付金具１１に枢着すると共に、前記ロックレバー５の係合歯８がラック７に係合する方向にロックレバー５を回転付勢するバネ１２をロックレバー５と取付金具（固定枠）１１との間に介装し、そしてロックレバー５の他端部側に操作レバー６の一端部を枢着し、この操作レバー６を図２の(a) ，(b) に示すように他端部（遊端部）が下向きとなる下向き姿勢に回転させた時に取付金具１１の上枠部１１ｂの下端面に当接してロックレバー５のロック解除方向の回転を阻止するロックレバー回転阻止用当接部１３を操作レバー６の一端側外周部に設け、この操作レバー６には、前記下向き姿勢から所定角度上方へ回転させてロックレバー５のロック解除方向回転が可能となった状態でロックレバー５の操作レバー係合面９と係合するロックレバー係合面１４を形成し、このロックレバー係合面１４がロックレバー５の操作レバー係合面９と係合した状態で操作レバー６を更に上方へ回転させることにより、ロックレバー５をロック解除方向に回転させてロック解除するようにしたものである。
【００１８】
上記伸縮脚ロック装置４の構造について更に詳細に説明すれば、ロックレバー５は、図５の(a) ，(b) に示すように略々横向きＬ字状に形成されたアルミ金属押出型材からなるもので、一端部には伸縮脚３のラック６に係合する係合歯８を形成し、他端部側の下面には操作レバー係合面９を形成し、そのほぼ中間部には図２及び図３に示すロックレバー枢着用リベット１５（枢軸）を挿通するリベット挿通孔５ａを形成し、更にこのボルト挿通孔５ａと前記操作レバー係合面１０との中間には操作レバー枢着用リベット１６（枢軸）を挿通するリベット挿通孔５ｂを形成している。
【００１９】
操作レバー６は、図６の(a) 〜(e) によって示されるような形状を有するもので、一端部には枢軸としてのリベット１６（図２及び図３参照）を挿通するリベット挿通孔６ａを形成し、中間部にはロックレバー５の操作レバー係合面９と係合するロックレバー係合面１４を形成し、また一端側外周部には両側一対のロックレバー回転阻止用当接部１３，１３を形成すると共に、取付金具１１の竪枠部１１ａの前面に係止して操作レバー６を前記下向き姿勢と下記横向き姿勢に位置保持する一対の凸片１７，１７を形成している。尚、図２の(c) に示すように、操作レバー６の両側一対のロックレバー回転阻止用当接部１３，１３の幅Ｗａを、取付金具１１の上枠部１１ｂ，１１ｂの幅Ｗｂより広く形成することで、操作レバー６の下向き姿勢時に両当接部１３，１３が上枠部１１ｂ，１１ｂに当接できるようにしている。
【００２０】
図７はロックレバー５に操作レバー６の一端部をリベット１６（枢軸）によって枢着した状態を示したもので、(a) は所定の取付姿勢にあるロックレバー５の操作レバー係合面９に操作レバー６のロックレバー係合面１４が係合した状態の正面図、(b) はその平面図であり、(c) は左側面図である。
【００２１】
図８の(a) 〜(c) は取付金具１１を示したもので、この取付金具１１は、角筒状の竪枠部１１ａと、この角筒状竪枠部１１ａの左右側壁上端部から前方へ突設された両側一対の上枠部１１ｂ，１１ｂと、角筒状竪枠部１１ａの後側壁上端から突出した取付用突片１１ｃとからなり、角筒状竪枠部１１ａの前側壁及び後側壁にはロックレバー５を貫通させる開口部１８ａ，１８ｂが形成されている。また、角筒状竪枠部１１ａの左右側壁上部にはロックレバー枢着用リベット１５（枢軸）を挿通するリベット挿通孔１９を設け、更に左右側壁の上下両端部には、この取付金具１１を固定ブラケット２１に固定するボルト２５が挿通するボルト挿通孔２３を設けている。
【００２２】
図９は、図７に示される操作レバー６付きロックレバー５を取付金具１１の角筒状竪枠部１１ａにロックレバー枢着用リベット１５（枢軸）によって枢着すると共に、ロックレバー５の係合歯８が伸縮脚３のラック７に係合するロック方向にロックレバー５を回転付勢するためのバネ１２をロックレバー５と取付金具１１の角筒状竪枠部１１ａとの間に介装した状態を示し、(a) はその正面図、(b) は平面図である。
【００２３】
図１０は取付金具１１を取り付ける固定ブラケット２１を示すもので、(a) は前方から見た正面図、(b) は平面図、(c) は側面図である。この固定ブラケット２１は、図２から分かるように、支柱１下端部に嵌合されてリベット２４で固定される嵌合枠部２１ａと、この嵌合枠部２１ａの前面両側縁部の上下両端部に突設され、取付金具１１を嵌合保持してボルト２５及びナット２６で固定するフランジ２１ｂ・・・とからなるもので、嵌合枠部２１ａの前側壁中央部には、ロックレバー５の一端部にある係合歯８を、支柱１及び伸縮脚３の夫々の開口部（図示省略）に突入させてラック７に係合させるための開口部２７を設け、各フランジ２１ｂにはボルト挿通孔２８を設けている。また嵌合枠部２１ａの左右側壁には上下両端部にリベット２４を挿通する孔２９を設けている。
【００２４】
図１１は、図９で示したロックレバー５と操作レバー６と取付金具１１との組立体を図１０で示した取付ブラケット２１に取り付けた状態を示す。即ち、図９に示される状態にある取付金具１１の角筒状竪枠部１１ａを固定ブラケット２１のフランジ２１ｂ，２１ｂ間に嵌め込んで、リベット挿通孔２８，２８にわたって挿通したボルト２５及びナット２６により固定したもので、固定ブラケット２１の嵌合枠部２１ａを支柱１の下端部に嵌合すると共に、取付金具１１の角筒状竪枠部１１ａの後側壁上端から突出した取付用突片１１ｃを踏桟２内に突入させた状態で、嵌合枠部２１ａのリベット挿通孔２９に挿通されるリベット２４で固定することによって、伸縮脚ロック装置４の全ての部材の取付けが完了し、図２〜４に示すような取付状態となる。
【００２５】
上記のように構成される伸縮脚ロック装置４の作用について、図２〜図４を参照しながら以下に説明する。
【００２６】
図２は、操作レバー６がその他端部（遊端部）を下に向けた下向き姿勢にあって、その一端側外周に設けられたロックレバー回転阻止用当接部１３が真上位置で取付金具１１の上枠部１１ｂの下面に当接する状態となって、ロックレバー５がロック解除方向の回転を阻止される二重ロック状態を示す。二重ロック状態とは、ロックレバー５が、バネ１２の付勢力によって係合歯８がラック７に係合した状態にロックされていると共に、ロック解除方向への回転が阻止されるようにロックされた状態を云う。この二重ロックの状態では、伸縮脚３は、支柱１に対する伸張及び収縮方向の移動が共に阻止されるから、支柱１に確実に固定されることになる。
【００２７】
即ち、ロックレバー５は、バネ１２によって一端部の係合歯８が伸縮脚３のラック７と係合する方向に回転付勢されているだけであるから、ロックレバー５の他端部にこれを引き上げる方向の力を作用させたり、バネ１２の付勢力に抗して伸縮脚３を伸張させると、ロックレバー５はロック解除方向に回転してロック解除することになるが、操作レバー６が下向き姿勢となる二重ロック状態においては、操作レバー６の枢着側端部にあるロックレバー回転阻止用当接部１３が取付金具１１の上枠部１１ｂ下面に当接して、ロックレバー５のロック解除方向の回転が阻止されるから、ロックレバー５は完全にロックされることになる。
【００２８】
また、この二重ロック状態で、操作レバー６は図２の(a) ，(b) に示すように下向きに垂れ下がった姿勢にあるため、梯子使用時などに作業者が操作レバー６に足を引っ掛けるおそれがない。また図２の(a) ，(b) に示すように、操作レバー６が垂れ下がった下向き姿勢にある時、この操作レバー６の一端部外周に突設された左右両側一対の凸片１７，１７が取付金具１１の竪枠部１１ａ前面に係止して、操作レバー６を下向き姿勢に位置保持するため、操作レバー６がブラブラ揺れることがなく、従って仮に作業者の足が触れるようなことがあっても、操作レバー６が不都合に回転することがない。
【００２９】
図３は、図２に示すようにロックレバー５が二重ロックされた状態から操作レバー６を上方へ所定角度（例えば約７０°）回転させ、操作レバー６のロックレバー係合面１４がロックレバー５の操作レバー係合面９に当接する状態にして、ロックレバー５のロック解除方向の回転が可能となった単ロック状態を示す。この単ロック状態では、操作レバー６の一端側外周にあるロックレバー回転阻止用当接部１３が、二重ロック状態での真上位置から所定角度（例えば約７０°）下向きに回転して、取付金具１１の上枠部１１ｂ下面との当接位置から離隔した位置にあるため、ロックレバー５はロック解除方向への回転が可能となり、従って伸縮脚３は、支柱１に対し収縮方向にはロックされるが、支柱１に対し伸張方向には移動可能となる。
【００３０】
上記のように二重ロックを解除する際には、操作レバー６が図３の(a) ，(b) の仮想線図示位置（二重ロック位置）から同図の実線図示位置（単ロック位置）へ回転すると同時に、操作レバー６の一端部外周に突設された左右両側一対の凸片１７，１７（図２の(c) 参照）も同図の仮想線図示位置から実線図示位置へ回転移動して、この実線図示位置で凸片１７が取付金具１１の竪枠部１１ａ前面に係止することによって、操作レバー６を単ロック位置に保持することになるが、この凸片１７は二重ロック位置から単ロック位置まで回転移動する時に竪枠部１１ａの前面に押し付けられて、図３の(b) に示すような圧縮代ｔ分だけ弾性圧縮変形するようになっている。そして、この操作レバー６の回転操作時に、凸片１７が弾性圧縮変形するクリック感が出て、操作感覚が得られるから、作業者はロックレバー５が二重ロック状態から単ロック状態に切り替わったことを確認することができる。
【００３１】
図４は、図３に示すような単ロック状態から、操作レバー６のロックレバー係合面１４がロックレバー５の操作レバー係合面９と係合した状態で操作レバー６を更に上方へ回転させて図４の(a) の実線図示及び同図(b) の仮想線図示のような横向き姿勢とすることにより、ロックレバー５をロック解除方向に回転させてロック解除する状態を示す。即ち、ロックレバー係合面１４と操作レバー係合面９とが当接した状態から操作レバー６を更に上方へ例えば２０°程度回転させると、ロックレバー５はバネ１２の付勢力に抗してロック解除方向に回転し、係合歯８が伸縮脚３のラック７から離脱して、ロック解除状態となり、伸縮脚３は、支柱１に対して、伸縮方向及び収縮方向の何れにも移動可能となる。
【００３２】
上記操作レバー６は支点と力点と作用点とを有するテコ（梃子）からなるもので、支点は操作レバー６の一端部にあって、取付金具１１との枢支点である枢軸１６であり、力点は操作レバー６の遊端部であり、作用点は支点である枢軸１６に近い、ロックレバー５の操作レバー係合面９に当接するロックレバー係合面１４であり、この操作レバー６においては、支点から作用点までの距離が短くて、支点から力点までの距離が長いため、操作レバー６の操作力の軽減が可能で、操作レバー６によるロックレバー５の解除操作時には、操作レバー６の遊端部を軽く引き上げるだけで、ロックレバー５を容易にロック解除することができる。
【００３３】
また、この操作レバー６は、各支柱１の下端部側面に沿った位置で下向き姿勢にある時、ロックレバー５のロック解除方向の回転を阻止する二重ロック位置にあって、この下向き姿勢から所定角度上方へ例えば７０°程度回転させてロックレバー５のロック解除方向回転が可能となった状態で、ロックレバー５の操作レバー係合面９に操作レバー６のロックレバー係合面１４を係合させて、操作レバー６を更に上方へ２０°程度回転させることにより、ロックレバー５をロック解除方向に回転させてロック解除するようになっているから、作業者が足の甲部分でも操作レバー６の遊端部を持ち上げることで、ロックレバー５を容易にロック解除することができる。
【００３４】
即ち、図１に示す２連式梯子等のような大型で重量のある梯子状脚体製品の使用時は、作業者が脚体の自重を支えながら且つ伸縮脚を持ち上げるような状態での伸縮脚ロック装置の操作が要求され、必然的に梯子状脚体の下端部に設置することが必要となる伸縮脚ロック装置では、屈み込んで操作したり、あるいは梯子状脚体を若干傾斜させて非操作側の支柱だけを設置し、操作側の支柱の伸縮脚を伸縮操作が可能なように多少浮いた状態にして伸縮操作を行うようなことが求められている。従って、本発明に係る伸縮脚ロック装置４のように足の甲部分での伸縮脚３の伸縮操作が可能になれば、作業者は両手で梯子状脚体を支えながら、又は梯子状脚体を軽く持ち上げながらでも安定した操作が可能となる。特に梯子等の自立ができない梯子状脚体製品では極めて有効である。
【００３５】
また、操作レバー６は、図２〜図４によって説明したように、ロックレバー５を二重ロック状態にする下向き姿勢からロックレバー５をロック解除する横向き姿勢まで、ロック レバー５の回転量と合わせて約９０°回転させるようになっているが、操作レバー６が取付金具１１の竪枠部１１ａに沿って位置する下向き姿勢では、操作レバー６の一端部のロックレバー回転阻止用当接部１３が取付金具１１の上枠部１１ｂ下面に当接することにより、ロックレバー５のロック解除方向の回転を阻止して、ロックレバー５を二重ロック状態とする。このような操作レバー６の下向き姿勢では、梯子使用時などに作業者が操作レバー６に足を引っ掛けて不測にロック解除するようながおそれがなく、また伸縮脚３の昇降動作に支障を来すようなことがない。
【００３６】
また、この伸縮脚ロック装置４は、梯子（梯子状脚体）１０の最下段踏桟２より下方に装備されているから、作業者の昇降に影響がなく、万が一作業者の足等が操作レバー６に触れた際の不意のロック解除を回避することができる。作業の安定を図るために下段側が漸次幅広となる形態の脚立等とは異なり、ほぼ全ての踏み桟が同じ幅で直線的に構成される梯子等の伸縮脚ロック装置として最下段踏み桟の下方に装備される伸縮脚ロック装置は昇降の邪魔にならず、安全昇降に効果的となる。
【００３７】
また、この伸縮脚ロック装置４において、操作レバー６に万が一大きな外力が加えられて、操作レバー６が破損脱落するようなことがあっても、ロックレバー５にはこのロックレバー５が破損するような力は加わらず、そして操作レバー６が破損脱落したとしても、ロックレバー５を直接操作することによって、ロック解除操作が可能となる。また、操作レバー６の修理復元も容易に可能となる。
【００３８】
また操作レバー６は、合成樹脂によって一体成形されており、その一端側外周部には、操作レバー６の下向き姿勢でロックレバー５のロック解除方向の回転を阻止する位置（図３の(b) の仮想線図示位置）、及び下向き姿勢から所定角度上方へ回転して横向き姿勢となってロックレバー５のロック解除方向への回転を可能とする位置（図３の(b) の実線図示位置）の各位置で固定枠１１に係止して操作レバー６を位置保持するための凸片１７が設けられ、この凸片１７は操作レバー６が両位置間を回転する時は固定枠１１に押し付けられて弾性変形するようになっているから、操作レバー６が下向き姿勢に位置保持されることにより、操作レバー６がブラブラ揺れることがなく、従って万が一作業者の足が触れても、操作レバー６が回転することがなく、不意のロック解除を回避することができる。また操作レバー６が上記横向き姿勢に位置保持されることにより、現在ロックレバー５が単ロック状態（ロックレバー５がロック解除方向へ回転可能な状態）にあることを確認できる。
【００３９】
また操作レバー６は、支点から作用点までの距離が短く、支点から力点までの距離が長いため、操作レバー６の小さな操作力で作用点に大きな力を作用させることができ、従って操作レバー６の回転操作が容易となる一方、ロックレバー５側にバネ力の比較的大きなバネ１２を採用してより安全なロック状態を維持できる。
【００４０】
以上説明した実施形態の伸縮脚ロック装置４において、ロックレバー５の係合歯８は、伸縮脚３内に設けたラック７に係合するようになっているが、ラック７に代えて伸縮脚３内に連続孔を配設し、この連続孔に係合歯８を係合させるようにしてもよい。
【符号の説明】
【００４１】
１            支柱
２            踏桟
３            伸縮脚
４            伸縮脚ロック装置
５            ロックレバー
６            操作レバー
７            ラック
８            係合歯
９            操作レバー係合面
１０          梯子（梯子状脚体）
１１          取付金具（固定枠）
１１ａ        取付金具（固定枠）の竪枠部
１１ｂ        取付金具（固定枠）の上枠部
１２          バネ
１３          ロックレバー回転阻止用当接部
１４          ロックレバー係合面
１７          凸片
２１          固定ブラケット（固定枠）
【図１】
2011226061.tif 000003
【図２】
2011226061.tif 000004
【図３】
2011226061.tif 000005
【図４】
2011226061.tif 000006
【図５】
2011226061.tif 000007
【図６】
2011226061.tif 000008
【図７】
2011226061.tif 000009
【図８】
2011226061.tif 000010
【図９】
2011226061.tif 000011
【図１０】
2011226061.tif 000012
【図１１】
2011226061.tif 000013